(57)【特許請求の範囲】
【請求項１】
操作画面を操作し設定操作指示を入力するための操作部と、
前記操作画面を表示する表示部と、
前記操作画面を前記表示部に表示させ、前記操作部の入力内容を受ける制御部とを備え、
前記制御部は、前記操作画面における設定変更を行う際の表示形態として、変更の確認操作がある第一の表示形態と、変更の確認操作のない第二の表示形態とを有し、所定のタイミングで、変更の確認操作のない第二の表示形態で設定変更された設定内容を前記操作画面に通知し、変更の確認操作がある前記第一の表示形態で設定変更された設定内容と、変更の確認操作のない前記第二の表示形態で設定変更された設定内容とを区別して前記操作画面に通知することを特徴とする画像形成入力装置。
【請求項２】
操作画面を操作し設定操作指示を入力するための操作部と、
前記操作画面を表示する表示部と、
前記操作画面を前記表示部に表示させ、前記操作部の入力内容を受ける制御部とを備え、
前記制御部は、前記操作画面における設定変更を行う際の表示形態として、変更の確認操作がある第一の表示形態と、変更の確認操作のない第二の表示形態とを有し、所定のタイミングで、変更の確認操作のない第二の表示形態で設定変更された設定内容を前記操作画面に通知し、設定変更の確認操作がある項目と、設定変更の確認操作がない項目とを混在して通知する際に、確認操作がなく設定された項目の設定内容と、確認操作を行って設定された項目の設定内容とを異なる形態で前記操作画面に通知することを特徴とする画像形成入力装置。
【請求項３】
操作画面を操作し設定操作指示を入力するための操作部と、
前記操作画面を表示する表示部と、
前記操作画面を前記表示部に表示させ、前記操作部の入力内容を受ける制御部とを備え、
前記制御部は、前記操作画面における設定変更を行う際の表示形態として、変更の確認操作がある第一の表示形態と、変更の確認操作のない第二の表示形態とを有し、所定のタイミングで、変更の確認操作のない第二の表示形態で設定変更された設定内容を前記操作画面に通知し、設定変更タイミングを出力時とし、設定変更の確認後出力を行った場合、前記設定変更が確定したとみなし、同条件で出力する場合は、前記設定変更がされた設定内容の通知を行わないことを特徴とする画像形成入力装置。
【請求項４】
操作画面を操作し設定操作指示を入力するための操作部と、
前記操作画面を表示する表示部と、
前記操作画面を前記表示部に表示させ、前記操作部の入力内容を受ける制御部とを備え、
前記制御部は、前記操作画面における設定変更を行う際の表示形態として、変更の確認操作がある第一の表示形態と、変更の確認操作のない第二の表示形態とを有し、所定のタイミングで、変更の確認操作のない第二の表示形態で設定変更された設定内容を前記操作画面に通知し、
さらに、前記制御部は、サンプル出力をする機能を有し、設定変更タイミングを出力時として、サンプル出力する場合は、サンプル出力時に、設定変更された設定内容の通知を前記操作画面に行い、さらに本出力する際に、設定変更された設定内容の前記通知を行うことを特徴とする画像形成入力装置。
【請求項５】
前記制御部は、設定変更の際に、確認操作なしで設定された項目のみを前記操作画面に通知することが可能であることを特徴とする請求項１〜４のいずれか１項に記載の画像形成入力装置。
【請求項６】
前記制御部は、設定変更の際に確認操作なしで設定された項目を前記操作画面に通知する際の表示形態を複数有することを特徴とする請求項１〜５のいずれか１項に記載の画像形成入力装置。
【請求項７】
画像形成を行う画像形成部と、
請求項１〜６のいずれか１項に記載の操作部、表示部および制御部と、を備えることを特徴とする画像形成装置。
【発明の詳細な説明】
【技術分野】
【０００１】
この発明は、設定操作を行うことができる画像形成入力装置および画像形成装置に関するものである。
【背景技術】
【０００２】
複写機、プリンター、ファクシミリ、複合機などの画像形成装置では、画像情報や出力条件情報などに基づいて画像形成が行われ、さらに所望によりステイプル、パンチなどの後処理が行われる。画像情報は、スキャナーによって原稿を読み込んだり、他の装置から送信されたりすることで取得される。この際に、スキャナーは、設定された読み取り条件で原稿を読み取る。そして、予め設定されている標準的な出力条件や出力前にユーザーが操作部を介して入力した出力条件等によって前記画像情報に基づく出力がなされる。
すなわち、上記出力は、種々の設定内容に従って行われることになる。設定内容は多岐に亘り、例えば、スキャナーの読み取り条件、出力部数、片面、両面印刷の別や、用紙サイズ、紙種、コピー倍率、コピー濃度、さらにステイプル、パンチなどの後処理方法、動作パラメータ等が挙げられる。
また、設定内容は通常はユーザーによる変更が可能になっており、変更された設定内容は適宜のタイミングで表示部に表示される。
【０００３】
この設定内容を一覧にして表示することで設定の確認を容易にし、誤った設定で画像形成処理が行われるのを防止する画像形成装置が提案されている（特許文献１参照）。
また、入力媒体によって表示形態を変えることで操作性などを向上させた画像形成装置が提案されている（特許文献２、３参照）。
さらに、標準条件から変更された設定条件を表示部に点滅表示して確認を容易にした画像形成装置が提案されている（特許文献４参照）。
【先行技術文献】
【特許文献】
【０００４】
【特許文献１】特開２００５−４５３３７号公報
【特許文献２】特開平０８−１０１７５９号公報
【特許文献３】特開２００７−１１４５９号公報
【特許文献４】特開２００１−３３１０６６号公報
【発明の概要】
【発明が解決しようとする課題】
【０００５】
しかし、設定変更の操作には、変更の確認操作があるものと、変更の確認操作がないものとがあり、これらを一括して同様に扱う従来技術では、問題が生じ得る。
例えば、特許文献１、４で示される画像形成装置では、設定内容や設定変更の全てが表示されるので、手数が増えたり、不要な確認作業が増えたり、ユーザーの負担になったりする場合がある。
また、特許文献２、３で示される画像形成装置は、入力媒体で表示形態に差異を持たせることにより設定ミスを招く可能性が高くなってしまう。特に確認操作がない場合はミスが多くなるおそれがある。
【０００６】
本発明は、上記事情を背景としてなされたものであり、変更の確認操作があるものと、変更の確認操作がないものとを容易に区別でき、ユーザーの負担を増やすことなく設定ミスを減らすことができる画像形成入力装置および画像形成装置を提供することを目的とする。
【課題を解決するための手段】
【０００７】
すなわち、本発明の画像形成入力装置のうち、第１の本発明は、操作画面を操作し設定操作指示を入力するための操作部と、
前記操作画面を表示する表示部と、
前記操作画面を前記表示部に表示させ、前記操作部の入力内容を受ける制御部とを備え、
前記制御部は、前記操作画面における設定変更を行う際の表示形態として、変更の確認操作がある第一の表示形態と、変更の確認操作のない第二の表示形態とを有し、所定のタイミングで、変更の確認操作のない第二の表示形態で設定変更された設定内容を前記操作画面に通知し、変更の確認操作がある前記第一の表示形態で設定変更された設定内容と、変更の確認操作のない前記第二の表示形態で設定変更された設定内容とを区別して前記操作画面に通知することを特徴とする。
【０００８】
上記本発明によれば、変更の確認操作がない設定内容を、所定タイミングで通知することによりユーザーがその内容を容易に把握することができる。タイミングは適宜設定することでユーザーの手数を減らすことができる。
上記通知により、例えば、ＯＫ／キャンセルのような確認操作がないままで設定した項目に対し、確定前に設定確認をできる。
さらに、変更の確認操作がある設定内容と、変更の確認操作がない設定内容とが区別されて通知されるので、ユーザーは必要な設定内容を選別して確認することが容易になる。
【０００９】
第２の本発明の画像形成入力装置は、操作画面を操作し設定操作指示を入力するための操作部と、
前記操作画面を表示する表示部と、
前記操作画面を前記表示部に表示させ、前記操作部の入力内容を受ける制御部とを備え、
前記制御部は、前記操作画面における設定変更を行う際の表示形態として、変更の確認操作がある第一の表示形態と、変更の確認操作のない第二の表示形態とを有し、所定のタイミングで、変更の確認操作のない第二の表示形態で設定変更された設定内容を前記操作画面に通知し、設定変更の確認操作がある項目と、設定変更の確認操作がない項目とを混在して通知する際に、確認操作がなく設定された項目の設定内容と、確認操作を行って設定された項目の設定内容とを異なる形態で前記操作画面に通知することを特徴とする。
【００１０】
上記本発明によれば、変更の確認操作がない設定内容を、所定タイミングで通知することによりユーザーがその内容を容易に把握することができる。タイミングは適宜設定することでユーザーの手数を減らすことができる。
上記通知により、例えば、ＯＫ／キャンセルのような確認操作がないままで設定した項目に対し、確定前に設定確認をできる。さらに、変更の確認操作がある設定内容と、変更の確認操作がない設定内容とが混在する場合にも、異なる形態で表示されていることでユーザーは両者を容易に区別して把握することができる。
【００１１】
第３の本発明の画像形成入力装置は、操作画面を操作し設定操作指示を入力するための操作部と、
前記操作画面を表示する表示部と、
前記操作画面を前記表示部に表示させ、前記操作部の入力内容を受ける制御部とを備え、
前記制御部は、前記操作画面における設定変更を行う際の表示形態として、変更の確認操作がある第一の表示形態と、変更の確認操作のない第二の表示形態とを有し、所定のタイミングで、変更の確認操作のない第二の表示形態で設定変更された設定内容を前記操作画面に通知し、設定変更タイミングを出力時とし、設定変更の確認後出力を行った場合、前記設定変更が確定したとみなし、同条件で出力する場合は、前記設定変更がされた設定内容の通知を行わないことを特徴とする。
【００１２】
上記本発明によれば、変更の確認操作がない設定内容を、所定タイミングで通知することによりユーザーがその内容を容易に把握することができる。タイミングは適宜設定することでユーザーの手数を減らすことができる。
上記通知により、例えば、ＯＫ／キャンセルのような確認操作がないままで設定した項目に対し、確定前に設定確認をできる。さらに、出力時を設定変更のタイミングにして、変更確認がなされて出力されると、変更された設定内容は確認が不要なものとして、同条件の出力では通知を省略してユーザーの確認作業を不要にできる。
第４の本発明の画像形成入力装置は、操作画面を操作し設定操作指示を入力するための操作部と、
前記操作画面を表示する表示部と、
前記操作画面を前記表示部に表示させ、前記操作部の入力内容を受ける制御部とを備え、
前記制御部は、前記操作画面における設定変更を行う際の表示形態として、変更の確認操作がある第一の表示形態と、変更の確認操作のない第二の表示形態とを有し、所定のタイミングで、変更の確認操作のない第二の表示形態で設定変更された設定内容を前記操作画面に通知し、
さらに、前記制御部は、サンプル出力をする機能を有し、設定変更タイミングを出力時として、サンプル出力する場合は、サンプル出力時に、設定変更された設定内容の通知を前記操作画面に行い、さらに本出力する際に、設定変更された設定内容の前記通知を行うことを特徴とする。
上記本発明によれば、変更の確認操作がない設定内容を、所定タイミングで通知することによりユーザーがその内容を容易に把握することができる。タイミングは適宜設定することでユーザーの手数を減らすことができる。上記通知により、例えば、ＯＫ／キャンセルのような確認操作がないままで設定した項目に対し、確定前に設定確認をできる。さらに出力時を設定変更のタイミングにして、サンプル出力と本出力の両方で設定変更された設定内容を通知することで、ユーザーによる確認をより確実なものにすることができる。
【００１３】
第５の本発明の画像形成入力装置は、前記第１〜第４の本発明のいずれかにおいて、前記制御部は、設定変更の際に、確認操作なしで設定された項目のみを前記操作画面に通知することが可能であることを特徴とする。
【００１４】
上記本発明によれば、確認操作なしで設定された項目のみを容易に確認することができる。確認操作なしで設定された項目のみとする通知は、自動的になされるものでもよく、また、ユーザーが選択をして、確認操作なしで設定された項目のみが通知されるようにしてもよい。
【００１７】
第６の本発明の画像形成入力装置は、前記第１〜第５の本発明のいずれかにおいて、前記制御部は、設定変更の際に確認操作なしで設定された項目を前記操作画面に通知する際の表示形態を複数有することを特徴とする。
【００１８】
上記本発明によれば、確認操作なしで設定された項目を通知する際の表示形態が異なることで、タイミングや設定内容などによってはユーザーが確認するのをより容易にする。
【００２３】
第７の本発明の画像形成装置は、画像形成を行う画像形成部と、前記第１〜第６の本発明のいずれかに記載の操作部、表示部および制御部と、を備えることを特徴とする。
【００２４】
上記本発明によれば、画像形成装置において変更の確認操作がない設定内容を、所定タイミングで通知によりユーザーが容易に把握することができる。
【発明の効果】
【００２５】
以上説明したように、本発明によれば、変更の確認操作のない設定内容が所定のタイミングで通知され、確認を一括で行う場合に比べて設定に要するユーザーの手数を減らすことができ、設定ミスを減らすこともできる。
【図面の簡単な説明】
【００２６】
【図１】本発明の一実施形態に係る画像形成装置の構成例を示す図である。
【図２】同じく、画像形成装置のブロック構成例を示す図である。
【図３】同じく、設定画面の一例を示す図である。
【図４】同じく、設定に対する確認操作のない設定画面の例を示す図である。
【図５】同じく、設定に対する確認操作のある設定画面の例を示す図である。
【図６】同じく、出力タイミングで、確認操作のない設定変更の内容のみを通知する画面遷移を説明する図である。
【図７】同じく、設定変更完了時に、確認操作のない設定変更の内容を通知する画面遷移を説明する図である。
【図８】同じく、確認操作のない設定変更の内容と、確認操作のある設定変更の内容とが混在して形態を異にして通知される画面の例を示す図である。
【図９】同じく、設定変更完了時に、確認操作のない設定変更の内容を通知する手順を示すフローチャートである。
【図１０】同じく、出力時に、確認操作のない設定変更の内容を通知する手順を示すフローチャートである。
【発明を実施するための形態】
【００２７】
以下に、本発明の一実施形態を添付図面に基づいて説明する。
図１は、画像形成装置１全体の中央断面図であり、機械的な構成を示している。以下に、その構成を説明する。
画像形成装置本体１ａは、その上部側に、ＣＣＤ１３１を含むスキャナー部１３０、自動原稿給送装置（ＡＤＦ）１３５が設けられて原稿の画像読取が可能になっている。また、画像形成装置１の上部側で、プラテンガラスが位置しない箇所に、タッチパネルからなる操作部１４０が設けられて、ユーザーによる操作および情報の表示が可能になっている。該操作部１４０は、本発明の操作部であるとともに表示部を兼用するものである。本発明としては操作部と表示部とが別体で構成されていてもよく、このような別体の操作部としては、マウスやタッチペン、タブレットなどが挙げられる。
【００２８】
また、画像形成装置本体１ａの下部側には、複数の給紙トレイ（１−３）１６０（図では３段）が配置され、さらに画像形成装置本体１ａに付設するようにして同じく給紙トレイとなる大容量給紙トレイ１６１が配置されている。画像形成装置本体１ａ内には、給紙トレイから給紙される用紙を搬送する搬送路が設けられており、該搬送路途中に、ＬＤ部１５２、感光体１５３、帯電器１５４、現像器１５５、転写部１５６、定着器１５７などで構成されるプリンター部１５０が設けられており、該プリンター部１５０は、本発明の画像形成部に相当し、スキャナー部１３０から得られた画像データーおよび、設定された画像形成条件に基づいて用紙に画像を形成する。
【００２９】
帯電器１５４、現像器１５５、転写部１５６等は、感光体１５３の周囲に配置されている。帯電器１５４は、画像書込み前に感光体１５３の表面を一様に帯電する。ＬＤ部１５２は、表面が一様に帯電された感光体１５３に半導体レーザーを照射することにより感光体１５３に静電潜像を形成する。現像器１５５は、ＬＤ部１５２によって感光体１５３に形成された静電潜像をトナー部材によって現像する。この現像処理によって感光体１５３にトナー画像が形成される。転写部１５６は、給紙トレイ（１−３）１６０や大容量給紙トレイ１６１から搬送されてきた用紙に感光体１５３のトナー画像を転写する。トナー画像が転写された用紙は、感光体１５３から分離されて定着器１５７に搬送される。感光体１５３に残留したトナー部材は、クリーニング部によって除去される。
【００３０】
定着器１５７は、搬送された用紙を加熱することにより用紙の表面側に転写されたトナー画像を定着する。定着処理が施された用紙は、片面印刷の場合にはそのまま後処理装置（ＦＮＳ）１８０に搬送される。後処理装置（ＦＮＳ）１８０では、ステイプル、パンチ、断裁などが行われる。一方、両面印刷の場合には、定着後の用紙がスイッチバックされて当該用紙の裏面側にプリンター部１５０で所定の画像が転写される。そして、両面に画像が形成された用紙は定着後に後処理装置（ＦＮＳ）１８０に搬送される。
画像形成装置１では、大容量給紙トレイ１６１、後処理装置（ＦＮＳ）１８０を備えるものについて説明したが、本発明としては、画像形成装置にこれらを備えないものであってもよい。
【００３１】
図２は、デジタル複合機（コピア、プリンター、スキャナー）として機能する画像形成装置１の回路ブロックを示す図であり、その内容を以下に詳細に説明する。
画像形成装置１は、制御ブロック１１０とスキャナー部１３０と操作部１４０とプリンター部１５０とを有するデジタルコピア本体と、ＬＡＮ４を通して端末（ＰＣ）３などの外部機器から入力される画像データーを処理し、またはスキャナー部１３０で得た画像データーを、ＬＡＮ４を通して端末３などの外部機器に転送可能にする画像処理手段（プリント＆スキャナーコントローラー）１６０とを備えている。
【００３２】
制御ブロック１１０には前記画像処理手段（プリント＆スキャナーコントローラー）１６０に接続されたＰＣＩバス１１２を有しており、該ＰＣＩバス１１２にＤＲＡＭ制御ＩＣ１１１が接続されている。ＤＲＡＭ制御ＩＣ１１１には、圧縮メモリー１２０とページメモリー１２１とからなる画像メモリーが接続されている。圧縮メモリー１２０は、ジョブスケジュール画面や原稿などの圧縮画像データーを格納するためのメモリーであり、ページメモリー１２１は、画像形成前にプリント対象の非圧縮画像データーを一時的に格納するためのメモリーである。
【００３３】
また、ＰＣＩバス１１２に接続されたＨＤＤ１２７は、画像形成装置１や画像処理手段１６０に接続される端末（ＰＣ）３などにより生成されたジョブ等を保存する。ＨＤＤ１２７には、複数のジョブの保存が可能である。各ジョブには、ジョブ全体の情報とページ単位の情報と画像データーとが含まれている。
【００３４】
また、制御ブロック１１０には、画像制御ＣＰＵ１１３を備えており、該画像制御ＣＰＵ１１３に前記ＤＲＡＭ制御ＩＣ１１１が接続されている。
また、画像制御ＣＰＵ１１３には、ＲＯＭ１１４と不揮発メモリー１１５が接続されている。該不揮発メモリー１１５には、画像形成装置１の初期印刷設定情報や、プロセス制御パラメータ等の機械設定情報、ユーザー設定値、各給紙トレイの用紙情報（用紙サイズ、紙種など）の設定データー、予約ジョブの管理情報などの設定内容が格納されており、ＲＯＭ１１４には、上記画像制御ＣＰＵ１１３を動作させるためのプログラムなどが格納されている。
【００３５】
画像制御ＣＰＵ１１３は、前記ＲＯＭ１１４や不揮発メモリー１１５の不揮発データーを読み取り可能であり、また、所望のデーターを不揮発データーとして不揮発メモリー１１５に書き込むことが可能である。画像制御ＣＰＵ１１３は、上記機械設定情報や印刷設定情報、ＪＯＢ管理情報などに従って画像形成装置１の各部を動作制御する。画像制御ＣＰＵ１１３は、画像形成装置１全体を制御するものであり、ＲＯＭ１１４、不揮発メモリー１１５などとともに本発明の制御部を構成する。また、画像制御ＣＰＵ１１３は、ＨＤＤ１２７や圧縮メモリー１２０に格納されたＪＯＢの予約、実行等の管理制御を行う。
ＲＯＭ１１４、不揮発メモリー１１５やＨＤＤ１２７、図示しないＲＡＭなどは、記憶部に相当する。
【００３６】
スキャナー部１３０は、光学読み取りを行うＣＣＤ１３１と、スキャナー部１３０全体の制御を行うスキャナー制御部１３２とを備えている。スキャナー制御部１３２は、前記画像制御ＣＰＵ１１３とシリアル通信可能に接続されている。また、前記ＣＣＤ１３１は、該ＣＣＤ１３１で読み取った画像データーを処理する読み取り処理部１１６に接続され、該読み取り処理部１１６には画像データーを圧縮処理する圧縮ＩＣ１１８が接続され、該圧縮ＩＣ１１８は前記したＤＲＡＭ制御ＩＣ１１１に接続されている。
【００３７】
操作部１４０は、本発明の表示部と操作部とを兼ね、タッチパネルで構成されるＬＣＤ１４１と、操作部全体を制御する操作部制御部１４２とを備えており、該操作部制御部１４２は前記画像制御ＣＰＵ１１３にシリアル通信可能に接続されている。操作部１４０では、画像制御ＣＰＵ１１３の制御を受けて、ＬＣＤ１４１によって、画像形成装置１における印刷設定や動作制御条件などの機械設定入力、出力などに関する設定や、各給紙トレイの用紙情報の設定（サイズ、紙種）や、出力モード設定（例えば通常コピーモード、確認コピーモード）の設定などが可能になっている。さらには、操作部１４０は、設定内容の表示、スケジュール画面などの所望の情報等の表示が可能になっている。
操作部１４０と、画像制御ＣＰＵ１１３、ＲＯＭ１１４、不揮発メモリー１１５などは本発明の画像形成入力装置を構成する。
【００３８】
また、前記ＤＲＡＭ制御ＩＣ１１１には、圧縮された画像データーを伸長する伸長ＩＣ１２５が接続されており、該伸長ＩＣ１２５には書き込み処理部１２６が接続されている。該書き込み処理部１２６は、プリンター部１５０のＬＤ部１５２（レーザダイオード）に接続され、該ＬＤ部１５２の動作に用いられる書き込みデーターの処理を行う。また、プリンター部１５０は、プリンター部１５０の全体（給紙、画像形成、排紙、後処理など）を制御するプリンター制御部１５１を備えており、プリンター制御部１５１は前記した画像処理ＣＰＵ１１３に接続されている。プリンター制御部１５１は画像制御ＣＰＵ１１３の制御指令に従って動作してプリンター部１５０を制御する。
【００３９】
また、前記ＤＲＡＭ制御ＩＣ１１１が接続されたＰＣＩバス１１２には、前記画像処理手段（プリント＆スキャナーコントローラー）１６０のＤＲＡＭ制御ＩＣ１６１が接続されている。前記画像処理手段１６０は、画像形成装置をネットワークプリンターやネットワークスキャナーとして使用する場合に、ＬＡＮ４に接続される端末（ＰＣ）３などから画像データー等を画像形成装置１で受信したり、スキャナー部１３０で取得した画像データーをＬＡＮ４に接続される端末（ＰＣ）３などに送信したりするものである。画像処理手段（プリント＆スキャナーコントローラー）１６０では、ＤＲＡＭ制御ＩＣ１６１に、ＤＲＡＭなどで構成される画像メモリー１６２が接続されている。また、画像処理手段（プリント＆スキャナーコントローラー）１６０では、共通バスに前記ＤＲＡＭ制御ＩＣ１６１と、画像処理手段（プリント＆スキャナーコントローラー）１６０全体の制御を行うコントローラー制御ＣＰＵ１６３、ＬＡＮインターフェース１６５、ＨＤＤ１６６が接続されている。ＬＡＮインターフェース１６５は、ＬＡＮ４に接続されている。
【００４０】
次に、上記画像形成装置１の基本的動作について説明する。
先ず、画像形成装置１において画像データーを蓄積する手順について説明する。
第１に画像形成装置１において、スキャナー部１３０で画像を読み取り画像データーを生成する場合について説明する。スキャナー部１３０において原稿からＣＣＤ１３１により画像を光学的に読み取る。この際には、画像制御ＣＰＵ１１３から指令を受けるスキャナー制御部１３２によってＣＣＤ１３１の動作制御を行う。原稿の読み取りは、自動原稿給送装置（ＡＤＦ）１３５によって行ってもよく、また、プラテンガラス上に原稿を置いて行ってもよい。
【００４１】
画像制御ＣＰＵ１１３はプログラムによって動作し、操作部１４０による操作に基づいてスキャナー部１３０への指令を発行する。ＣＣＤ１３１で読み取られた画像は、読み取り処理部１１６でデーター処理がなされ、データー処理された画像データーは、圧縮ＩＣ１１８において所定の方法によって圧縮され、ＤＲＡＭ制御ＩＣ１１１を介して圧縮メモリー１２０に格納される。また、ＨＤＤ１２７を用いる場合は、ＤＲＡＭ制御ＩＣ１１１を介して圧縮メモリー１２０に格納された画像データーをＨＤＤ１２７に格納する。
【００４２】
この他に画像データーは、ＬＡＮ４を介して画像形成装置１に入力される。上記画像データーとしては、例えば端末３などのアプリケーションプログラム等により生成されたものや他の画像形成装置により生成されたものが挙げられる。該データーは、ＬＡＮ４、ＬＡＮインターフェース１６５を介して画像処理手段１６０で受信され、ＤＲＡＭ制御ＩＣ１６１によって画像メモリー１６２やＨＤＤ１６６に一旦格納される。上記画像メモリー１６２やＨＤＤ１６６のデーターは、ＰＣＩバス１１２を介してＤＲＡＭ制御ＩＣ１１１に転送され、ページメモリー１２１に一旦格納される。ページメモリー１２１に格納されたデーターは、ＤＲＡＭ制御ＩＣ１１１を介して圧縮ＩＣ１１８に順次送られて圧縮処理され、ＤＲＡＭ制御ＩＣ１１１を介して圧縮メモリー１２０に格納される。ＨＤＤ１２７に格納する場合、ＤＲＡＭ制御ＩＣ１１１を介して圧縮メモリー１２０に格納されたデーターをＨＤＤ１２７に格納する。
【００４３】
画像形成装置１で画像出力を行う場合、上記のようにして圧縮メモリー１２０に格納された画像データーを、ＤＲＡＭ制御ＩＣ１１１を介して伸長ＩＣ１２５に送出してデーターを伸長する。ＨＤＤ１２７に格納された画像データーを画像出力する場合は、ＤＲＡＭ制御ＩＣ１１１を介して一旦圧縮メモリー１２０に格納し、ＤＲＡＭ制御ＩＣ１１１を介して伸長ＩＣ１２５に送出してデーターを伸長する。
伸長したデーターはＤＲＡＭ制御ＩＣ１１１を介して書き込み処理部１２６に送出して書き込みデーターを生成し、ＬＤ部１５２において感光体１５３への書き込みを行う。また、プリンター部１５０では、画像制御ＣＰＵ１１３の指令を受けたプリンター制御部１５１によって給紙トレイ（１−３）１６０、大容量給紙トレイ１６１、搬送路などの各部の制御が行われる。プリンター部１５０において、画像形成、用紙への転写、定着、搬送路による後処理装置（ＦＮＳ）１８０への搬送、後処理装置（ＦＮＳ）１８０での後処理などが順次行われて印刷出力が行われる。
【００４４】
次に、操作部１４０に操作可能に表示される設定画面１４００の一例を図３に示す。設定画面１４００は、本発明の操作画面に相当する。
設定画面１４００、画像形成装置本体１ａに備え付けてあるＨＤＤ１２７に保存されているＪＯＢの設定／編集を行うための画面である。
設定画面１４００には、各種の設定項目があり、基本設定１４０１、出力設定１４０２、応用設定１４０３、用紙設定１４０４、印刷面の設定１４０５、後処理出力設定１４０６、画質調整１４０７、その他の設定１４０８の各項目が操作入力可能に表示されている。これらの設定項目は、ユーザーが操作入力することで設定項目の入力、変更が可能になる。
【００４５】
図４は、設定画面１４００で、用紙設定１４０４の項目うち、用紙サイズ１４０４ａの項目を押釦して用紙サイズ選択窓１４１０がポップアップ表示された状態を示しており、設定変更に対する確認操作がない操作画面である。すなわち、用紙サイズ選択窓１４１０は、変更の確認操作のない第二の表示形態に相当する。
用紙サイズ選択窓１４１０には、各種用紙サイズの項目が表示されており、いずれかの項目を選択すると、当該項目において用紙サイズの設定が行われ、かつ設定変更が確定する。このような確認なしの例では、ＯＫ／キャンセル釦の操作のような確認操作はなく、サイズの選択と確定とが同時に行われ、確認のステップは存在しない。確認なしの画面が表示される例としては、マウス操作時のプルダウン表示がある。ちなみに図４の例では、枠外を選択すると選択された用紙サイズの選択がキャンセルされるようになっている。
【００４６】
一方、設定確認がある操作画面の他例を図５に示す。
図５は、設定画面１４００で、用紙設定１４０４の項目うち、用紙サイズ１４０４ａの項目を押釦して用紙サイズ選択窓１４２０がポップアップ表示された状態を示しており、設定の確認がある操作画面である。すなわち、用紙サイズ選択窓１４２０は、変更の確認操作がある第一の表示形態に相当する。
上記の説明では、用紙サイズの設定画面で、確認操作がある例（図４）と、確認操作がない例（図５）とを説明したが、各種の設定では、確認操作があるものと確認操作がないものとがあり、各種の設定では本発明の第一の表示形態を有するものと第二の表示形態を有するものとが存在している。
【００４７】
用紙サイズ選択窓１４２０では、各種用紙のサイズ項目１４２１が表示されており、いずれかの項目を選択すると、当該項目において用紙サイズの設定が行われる。また、用紙サイズ選択窓１４２０には、ＯＫ釦１４２２とキャンセル釦１４２３とが押釦可能に表示されている。各種用紙のサイズ項目１４２１を選択した後、ＯＫ釦１４２２を押釦すると、選択された設定が確定し、キャンセル釦１４２３を押釦すると、選択された設定変更がキャンセルされる。また、既に用紙サイズの設定されている場合に、各種用紙のサイズ項目１４２１の選択およびＯＫ釦１４２２の押釦がされると、設定が変更されて確定する。
すなわち、図５の例では、設定後の確認操作のステップが存在する。
【００４８】
次に、確認がされていない設定内容を所定のタイミングで通知する形態を説明する。以下の例では、通知は、操作部１４０への表示として行われる。
図６は、出力タイミングで、確認がされていない設定内容を示す設定内容確認窓１４４２が表示されている例である。この例では、図６のジョブ管理画面１４４０の出力釦１４４１を押釦すると、ジョブ管理画面１４４０上に設定内容確認窓１４４２がポップアップ表示される。
【００４９】
設定内容確認窓１４４２には、確認されていない設定変更内容のみが通知表示されている。通知内容は、用紙サイズ、センタリング、用紙トレイ、坪量に設定変更があることを示している。また、設定内容確認窓１４４２には、ＯＫ釦１４４３、再設定釦１４４４が押釦可能に表示されている。ユーザーは、設定内容確認窓１４４２における通知表示を見て問題がないと判断してＯＫ釦１４４３を押釦することで、設定が確定し、出力開始する。また、再設定釦１４４４を押釦すると、設定内容確認窓１４４２が閉じられて設定を行う画面に遷移する。なお、上記の例では、設定内容確認窓１４４２に、変更された設定内容として設定項目の概要を表示したが、設定内容の変更詳細を通知するようにしてもよい。
【００５０】
なお、出力時に確認がなされていない設定変更の内容を通知する場合、出力が実行された際に、設定変更が確定したものと見なし、再度、同条件で出力される場合には、上記設定内容確認窓１４４２の表示を行わないようにしてもよい。ただし、サンプル出力の場合は、出力が実行されても設定変更の確認とは見なさず、本出力の際に、確認がなされることなく変更された設定内容の通知を行って、確認を確実にするのが望ましい。
【００５１】
また、設定変更完了の際に、設定変更された内容を設定変更画面に表示するようにしてもよい。
設定完了の際に、確認がなされない設定内容を設定変更画面に表示するときに、ユーザーが視覚で容易に判別できるように色や表示形態を変えることができる。
【００５２】
図７は、設定画面１４００に表示された用紙サイズ選択窓１４２０で、確認がないままに設定がされた際の設定画面１４００の表示状態を示している。
図７（ａ）の設定画面１４００でポップアップ表示された用紙サイズ選択窓１４１０で用紙サイズの項目が選択されると、当該項目が確定し、用紙サイズ選択窓１４２０が消去された設定画面１４００となる。この設定画面１４００では、図７（ｂ）に示すように、確認がなされることなく設定された内容（用紙設定欄１４０４の用紙サイズ）が他と異なる色（赤字）で表示されている。図では、便宜上、背景をハッチングで表示している。
図７（ｃ）は、複数の項目について確認がなされることなく設定された内容（応用設定欄１４０３のセンタリングの項目、用紙設定欄１４０４の用紙サイズ、用紙トレイ、坪量の項目）が他と異なる色（赤字）で表示されている。図では、便宜上、背景をハッチングで表示している。
なお、上記では、確認のない設定変更の内容を文字色を変えて表示するものとしたが、点滅など、他と表示形態を変えて通知するものであってもよい。また、文字色の相違、点滅の有無などの形態を複数備え、ユーザーがいずれかの形態を選択して、選択された形態で、設定変更の確認がない設定内容の表示がされるようにしてもよい。
【００５３】
なお、確認がなされた設定変更の内容と、確認がなされていない設定変更の内容とが混在して表示されている場合、それぞれが異なる形態によって区別して表示されるようにしてもよい。
図８（ａ）は、設定画面１４００の応用設定釦１４０３の項目中でトンボ印刷１４０３ａの項目が押釦されてトンボ印刷設定窓１４５０がポップアップ表示された画面を示している。
トンボ印刷設定窓１４５０には、ＯＫ釦１４５１とキャンセル釦１４５２とが押釦可能に表示されており、設定変更に際に確認がなされる操作画面になっている。このトンボ印刷設定窓１４５０によってトンボの設定がなされると、トンボ印刷釦１４０３ａの項目にＯＮが表示される。トンボの設定がなされていない場合にはトンボ印刷釦１４０３ａの項目にＯＦＦが表示される。
【００５４】
図８（ｂ）は、図４に示したように、設定画面１４００に用紙サイズ設定窓１４１０がポップアップ表示されたものである。この操作画面は、設定変更に際し、確認が行われないものである。
図８（ａ）（ｂ）でそれぞれトンボの設定と用紙サイズの設定がなされた設定画面１４００を図８（ｃ）に示す。
この設定画面１４００では、確認がなされることなく設定された内容と、確認がなされて設定された内容とが混在して表示されている。
【００５５】
確認がなされることなく設定された内容（用紙設定１４０４の用紙サイズの項目）は、他と異なる色（赤字）で表示されている。図では、便宜上、背景を４５度のハッチングで表示している。また、確認がなされて設定された内容（トンボ印刷１４０３ａの項目）は、他と異なる色（青字）で表示されている。図では、便宜上、背景を４５度と１３５度のハッチングで表示している。また、設定の変更がなされていない項目は黒字で表示されている。図では、ハッチングが表示されていない項目である。
上記の例では、設定変更の確認あり、確認なし、変更なしで表示の形態を変えているため、ユーザーがこれらを区別して視認することが容易である。ユーザーは、色別で確認した項目を選択でき、手数を減らすとともに設定ミスをなくすことができる。
図８（ｃ）の操作画面では、確認がなされることなく設定された内容と、確認がなされて設定された内容とが混在して表示されているが、確認がなされることなく設定された内容のみを表示できるようにしてもよい。例えば、操作画面に内容表示の選択釦を設け、ユーザーによる選択釦の操作によって、確認がなされることなく設定された内容のみを表示する。
【００５６】
次に、所定のタイミングで、確認操作がなされることなく変更された設定内容の通知を行う手順について説明する。
【００５７】
先ず、設定変更操作の完了に伴って設定画面に通知する手順を図９のフローチャートに基づいて説明する。なお、以下の手順は、いずれも本発明の制御部の制御によって実行される。
設定のルーチンに入ると、制御部の記憶部に記憶された設定内容に従って設定画面が表示される（ステップｓ１）。この際に、このルーチン内で変更がされ、未確認フラグが設定されている設定変更項目は赤字で表示され、このルーチン内で変更がされ、未確認フラグが設定されていない設定変更項目は、青字で表示され、このルーチン内で変更されていない設定項目は黒字で表示される。
【００５８】
次いで、設定変更があるのを待機する（ステップｓ２）。設定変更があると（ステップｓ２、ＹＥＳ）、マウス操作か否かの判定をする（ステップｓ３）。
設定変更がマウス操作による場合（ステップｓ３、ＹＥＳ）、設定変更を行う際の表示形態として確認操作がない第二の表示形態で操作部１４０に表示する（ステップｓ４）。図４がその一例の操作画面である。マウス操作による設定入力の処理を行い（ステップｓ５）、設定内容を制御部の記憶部に記憶する（ステップｓ６）。
確認操作がなく設定変更された項目に未確認Ｆｌａｇがセットされ（ステップｓ７）、ステップｓ１に戻って（ステップｓ８）、記憶部に記憶された設定内容にしたがって設定画面に表示される。したがって、マウス操作によって変更された設定変更の項目は未確認Ｆｌａｇがセットされているので赤字で設定画面に表示される。
【００５９】
一方、設定変更された操作がマウス操作でない場合（ステップｓ３、ＮＯ）、設定変更を行う際の表示形態として確認操作がある第一の表示形態で操作部に表示する（ステップｓ９）。図５が、その例の操作画面である。
次いで、設定入力の処理がなされ（ステップｓ１０）、確認操作としてＯＫ釦が操作されたか否かの判定を行う（ステップｓ１１）。ＯＫ釦の操作がなければ（ステップｓ１１、ＮＯ）、設定入力の処理手順に戻る（ステップｓ１０へ）。
ＯＫ釦の操作があれば（ステップｓ１１、ＹＥＳ）、設定内容を制御部の記憶部に記憶し（ステップｓ１２）、ステップｓ１に戻って（ステップｓ８）、記憶部に記憶された設定内容に従って設定画面に表示される。したがって、マウス操作によらず変更された設定変更の項目は、確認操作が行われて未確認Ｆｌａｇはセットされていないので、青字で設定画面に表示される。
【００６０】
次に、出力のタイミングで、確認操作がされずに設定変更がされた設定内容を通知する手順を図１０のフローチャートに基づいて説明する。
ジョブスタートの押下げに従ってルーチンを開始し、未確認Ｆｌａｇがセットされた項目を操作画面１４００に確認画面を表示する（ステップｓ２０）。図６の例では、出力釦１４４１の押釦がジョブスタートの押下げに相当する。未確認Ｆｌａｇは、確認操作なしで設定変更がされた際に、当該項目に関連付けてセットされ、設定内容とともに記憶部に記憶される。
確認画面で変更内容ＯＫの操作がなされたか否かの判定がなされる（ステップｓ２１）。変更内容ＯＫの操作がなされなかった場合（ステップｓ２１、ＮＯ）、再度設定を行うルーチン（ステップｓ２２）へ移行する。設定ルーチンの詳細はここでは省略する。
【００６１】
変更内容ＯＫの操作がなされた場合（ステップｓ２１、ＹＥＳ）、サンプル出力を行うか否かの判定を行う（ステップｓ２３）。
サンプル出力を行わない場合（ステップｓ２３、ＮＯ）、未確認Ｆｌａｇを消去した後（ステップｓ２４）、サンプル出力を行う場合は（ステップｓ２３、ＹＥＳ）、未確認Ｆｌａｇは維持したままで、ジョブの出力を行う（ステップｓ２５）。したがって、サンプル出力以外で出力されている場合、同条件の設定で他のジョブを出力するときに、設定変更が確定したものとして、確認操作が行われていない設定内容としての通知は行われない。一方、サンプル出力で出力が行われている場合、未確認Ｆｌａｇはセットされたままであるので、同条件で本出力を行う場合、確認操作が行われていない設定内容に対する通知が行われる。
【００６２】
なお、上記実施形態では、操作部、表示部および制御部が画像形成装置に備えられるものとして説明したが、これら構成は、画像形成装置外にあって、画像形成装置との間で情報の通信を行うものであってもよく、例えば、画像形成装置とネットワークで接続された外部装置に備えるものであってもよい。この実施形態では、端末（ＰＣ）３に本発明の操作部、表示部、制御部を備えるものであってもよく、この場合、端末（ＰＣ）３は、本発明の画像形成入力装置に相当する。
【００６３】
以上、本発明について、上記実施形態に基づいて説明したが、本発明は上記実施形態の内容に限定されるものではなく、当然に本発明を逸脱しない限りは適宜の変更が可能である。
【符号の説明】
【００６４】
１  画像形成装置
１１３  画像制御ＣＰＵ
１４０  操作部
１５０  プリンター部
１４００  設定画面
１４１０  用紙サイズ選択窓
１４２０  用紙サイズ選択窓
１４２２  ＯＫ釦
１４２３  キャンセル釦
１４４０  ジョブ管理画面
１４４１  出力釦
１４４２  設定内容確認窓
【図１】
0005773154.tif 000002
【図２】
0005773154.tif 000003
【図３】
0005773154.tif 000004
【図４】
0005773154.tif 000005
【図５】
0005773154.tif 000006
【図６】
0005773154.tif 000007
【図７】
0005773154.tif 000008
【図８】
0005773154.tif 000009
【図９】
0005773154.tif 000010
【図１０】
0005773154.tif 000011